(57)【特許請求の範囲】
【請求項１】
エレベータの乗りかごに設けられる手摺柱装置であって、
前記乗りかごの奥の方に設けられた収容位置と前記乗りかごの中央部に設けられた使用位置とに亘って前記乗りかごの天井に延設されたガイド部と、
前記乗りかごの天井に延設された前記ガイド部に対向して前記乗りかごの床面に形成され、前記棒状の手摺柱の下端部が移動可能に係合されたガイド溝と、
前記収容位置と前記使用位置との間で、前記ガイド部および前記ガイド溝によって上下両端を移動可能に支持された棒状の手摺柱と、
を備え、
前記ガイド部は、前記使用位置に設けられた環状レールを有し、
前記ガイド溝は、前記環状レールに対向する環状溝を有し、
前記棒状の手摺柱の上下端は、前記乗りかごの天井と床面との間で突っ張るように伸ばして固定可能に構成されていることを特徴とする、
エレベータの手摺柱装置。
【請求項２】
前記手摺柱の本数は、複数である、請求項１に記載のエレベータの手摺柱装置。
【発明の詳細な説明】
【技術分野】
【０００１】
本発明は、エレベータの乗りかごに設置された手摺、特に、可動式の手摺柱に関する。
【背景技術】
【０００２】
例えば、病院や老人ホームに設置されているエレベータの中には、利用者が掴まって身体を支え易くするために乗りかご壁面に手摺を設置しているものがある。例えば、特許文献１には、乗りかご壁面に設置された手摺の上下方向の位置を調節する上下動機構を備えた手摺装置が開示されている。
【先行技術文献】
【特許文献】
【０００３】
【特許文献１】特開２００６−２４０８４３号公報
【発明の概要】
【発明が解決しようとする課題】
【０００４】
しかしながら、上記特許文献１に記載された手摺装置では、壁面の傍に立っている人は手摺に掴まることはできるものの、乗りかご中央部に立っている人は手摺に掴まることができず、利便性の点で問題であった。また、仮に、乗りかご中央部において天井と床面との間に手摺柱を設置してしまうと、例えば、ベッドのような大きな設備を乗りかごに積み込むことできなくなるという点で問題があった。
【０００５】
本発明の目的は、使用するときにだけ乗りかご中央部に手摺柱を設置するとともに、不使用時には乗りかごの奥の方へ手摺柱を移動させることができるエレベータの手摺柱装置を提供することにある。
【課題を解決するための手段】
【０００６】
本発明に係るエレベータの手摺柱装置は、エレベータの乗りかごに設けられる手摺柱装置であって、乗りかごの奥の方に設けられた収容位置と乗りかごの中央部に設けられた使用位置とに亘って乗りかごの天井に延設されたガイド部と、収容位置と使用位置との間で移動可能にガイド部に吊り下げられた棒状の手摺柱と、を備え、棒状の手摺柱の上下端は、乗りかごの天井と床面との間で突っ張るように伸ばして固定可能に構成されたものである。
【０００７】
本発明に係るエレベータの手摺柱装置は、乗りかごの天井に延設されたガイド部に対向して乗りかごの床面に形成され、棒状の手摺柱の下端部が移動可能に係合されたガイド溝を備えることが好ましい。
【発明の効果】
【０００８】
本発明に係るエレベータの手摺柱装置によれば、天井に延設されたガイド部に手摺柱を吊り下げて乗りかごの奥の方に設けられた収容位置と、乗りかご中央部の使用位置あるいはその間の任意位置との間を移動させるとともに、乗りかごの天井と床面との間で突っ張るように手摺柱を伸ばして固定することができる。このため、使用するときにだけ乗りかご中央部の使用位置あるいは上記任意位置に手摺柱を設置して利便性を向上させつつ、不使用時には乗りかごの奥の収容位置へ手摺柱を移動させることができるため、例えば、ベッド等の大きな設備を乗りかごに積み込むこともできる。
【図面の簡単な説明】
【０００９】
【図１】本発明の実施形態であるエレベータの手摺柱装置が適用されるエレベータ全体の構成を示す図である。
【図２】図１に示す手摺柱装置の構成を示す乗りかごの斜視図である。
【図３】図２に示す手摺柱装置の断面図である。
【図４】本発明における実施形態の第１変形例である手摺柱装置の構成を示す乗りかごの斜視図である。
【図５】本発明における実施形態の第２変形例である手摺柱装置の構成を示す乗りかごの斜視図である。
【図６】図５に示すＣ方向から見たガイド部の構成を示す図である。
【図７】図６に示すＥ-Ｅ断面図である。
【発明を実施するための形態】
【００１０】
以下に、本発明の実施形態について添付図面を参照しながら詳細に説明する。この説明において、具体的な形状、材料、数値、方向等は、本発明の理解を容易にするための例示であって、用途、目的、仕様等にあわせて適宜変更することができる。また、以下において複数の実施形態や変形例などが含まれる場合、それらの特徴部分を適宜に組み合わせて用いることは当初から想定されている。
【００１１】
図１は、本発明の実施形態であるエレベータの手摺柱装置が適用されるエレベータ１０の構成を示す図である。エレベータ１０は昇降路Ｓを昇降する乗りかご１２と、乗りかご１２を昇降させる巻上機１４とを備えている。昇降路Ｓは、複数階床を有する建屋内を鉛直方向に貫通して設けられた乗りかごの通路である。各階の乗場１５ａ，１５ｂ，１５ｃには乗場扉１６ａ，１６ｂ，１６ｃおよび乗場呼釦１８ａ，１８ｂ，１８ｃが設置されている。
【００１２】
乗りかご１２は、行き先階釦等が配置された操作パネル２２および前面側の出入口１２ａを開閉するドア２４を備えている。巻上機１４は、昇降路Ｓの直上方に設けられた機械室Ｍに設置されており、主ロープ２６を介して乗りかご１２および図示しないカウンターウェイトを相対的に昇降させる機能を有している。
【００１３】
続いて、図２および図３を用いて手摺柱装置３０の構成について説明する。図２は、手摺柱装置３０の構成を示す乗りかご１２の斜視図である。図３は、図２に示す手摺柱装置３０の断面図である。
【００１４】
図２および図３に示すように、手摺柱装置３０は、乗りかご１２の天井１２ｂに設けられたガイド部３２と、ガイド部３２に対向するように床マット３４に形成されたガイド溝３６と、棒状の手摺柱４０とを備えている。
【００１５】
図２に示すように、ガイド部３２は、乗りかご１２の奥の方の収容位置Ｐと乗りかご１２の中央部の使用位置Ｑとに亘って延設されガイドレールであり、このガイド部３２に手摺柱４０の上端部が移動可能に係合している。ガイド部３２は、収容位置Ｐと使用位置Ｑとを結ぶ直線レール３２ａと、使用位置Ｑに設けられた環状レール３２ｂとから構成されている。また、図３に示すように、ガイド部３２は略Ｃ字状の断面形状を有している。ガイド溝３６は、直線レール３２ａと対向する長溝３６ａおよび環状レール３２ｂに対向する環状溝３６ｂとから構成され、手摺柱４０の下端部が移動可能に係合されている。これにより、ガイド部３２およびガイド溝３６によって手摺柱４０の上下両端を移動可能に係合することができ、手摺柱４０の上下両端を精度よく位置決めした上で固定できる。また、乗りかご１２の中央部において環状レール３２ｂを設けることによって手摺柱４０の設置位置を環状レール３２ｂのどの位置にも柔軟に変更することもできる。
【００１６】
本実施形態では、ガイド部３２およびガイド溝３６によって、手摺柱４０の上下両端を移動可能に支持する例を挙げているが、ガイド溝３６を設けずにガイド部３２だけ設けて手摺柱４０の上端部を移動可能に支持するようにしてもよい。
【００１７】
図２に示すように、棒状の手摺柱４０は、収容位置Ｐと使用位置Ｑとに亘って移動可能にガイド部３２に吊り下げられている。そして、図３に示すように、手摺柱４０は、略円柱状に形成された手摺柱本体４２と、手摺柱本体４２の上端に取り付けられた上側スライドシュー４４と、手摺柱本体４２の下端に取り付けられたロック機構５０とを備えている。
【００１８】
上側スライドシュー４４は、例えば、ナイロン等の樹脂部材からなる略円柱状や略直方体状の部材であり、支持軸４６を介して環状レール３２ｂに吊り下げられる。この支持軸４６は、下端にフランジ部４６ａを有し、このフランジ部４６ａが手摺柱本体４２の上端部に設けられた係合溝４２ａに回転自在に係合される。これにより、手摺柱本体４２を回転自在に上側スライドシュー４４に吊り下げることができる。
【００１９】
図３に示すように、ロック機構５０は、ネジ軸５２ａを上面に有する固定用ブロック５２を有している。固定用ブロック５２は、手摺柱本体４２と同様に略円柱状に形成されており、上面に設けられたネジ軸５２ａが手摺柱本体４２の下端部に設けられたネジ孔４２ｂに螺合されている。このため、固定用ブロック５２の回転が止められた状態で、手摺柱本体４２を回転方向Ａ，Ｂに回転させることで手摺柱４０を伸縮させることができる。このようにして手摺柱４０は、上下端の上側スライドシュー４４および固定用ブロック５２が乗りかご１２の天井１２ｂと床面１２ｃとの間で突っ張るように伸びて固定できるように構成されている。
【００２０】
また、ロック機構５０には、固定用ブロック５２に回転自在に支持され、床マット３４のガイド溝３６に移動可能に係合される下側スライドシュー５４を設けてもよい。そして、この下側スライドシュー５４が固定用ブロック５２の代わりに床マット３４のガイド溝３６に当接することで手摺柱４０が突っ張って固定されるようにしてもよい。下側スライドシュー５４は、上側スライドシュー４４と同様に、例えば、ナイロン等の樹脂部材から形成すればよい。
【００２１】
上記構成により、固定用ブロック５２が回転しないように保持しつつ、手摺柱本体４２を回転方向Ａに回転させることにより、固定用ブロック５２を下方に突き出させることができる。このように固定用ブロック５２が下方に突き出すことによって手摺柱４０の上下両端の上側スライドシュー４４および固定用ブロック５２あるいは下側スライドシュー５４がガイド部３２の上面および床マット３４あるいは床マット３４のガイド溝３６の底面にそれぞれ当接する。これにより、手摺柱４０を乗りかご１２の天井１２ｂおよび床面１２ｃの間で突っ張らせて固定できる。
【００２２】
反対に、手摺柱本体４２を回転方向Ｂに回転させることにより、手摺柱４０が縮んで上側スライドシュー４４に手摺柱本体４２が吊り下げられ、固定用ブロック５２あるいは下側スライドシュー５４が接地せずに宙に浮いた状態となる。このようにして、手摺柱４０の固定状態を解除して移動可能な状態とすることができる。なお、本実施形態では、固定用ブロック５２を略円柱状に形成しているが、略直方体状に形成してもよい。
【００２３】
下側スライドシュー５４は、床マット３４のガイド溝３６に移動可能に係合され、支持軸５６を介して固定用ブロック５２の下面に接続されている。このように手摺柱４０の下端部も上端部と同様にガイド溝３６に係合されているため、手摺柱４０を固定する際に手摺柱４０の位置も正確に位置決めすることができる。
【００２４】
また、乗りかご１２は、上述した収容位置Ｐに手摺柱本体４２を収容するための収容室５８を備えている。この収容室５８には、片開き式の前扉５８ａが設けられており、前扉５８ａを開け閉めすることによって収容位置Ｐへ手摺柱本体４２を収容し、あるいは、収容位置Ｐから手摺柱本体４２を取り出すことができる。
【００２５】
続いて、手摺柱本体４２の使用位置Ｑへの設置方法および収容位置Ｐへの収容方法について説明する。最初に、図２に示す収容室５８の前扉５８ａを開いて手摺柱４０を取り出す。この際、手摺柱４０は、上下両端が乗りかご１２の天井１２ｂと床マット３４との間で突っ張って固定された状態で収容されている。そこで、手摺柱本体４２を図３に示す回転方向Ｂに回して突っ張り固定状態を解除する。そして、図２に示すように手摺柱本体４２をガイド部３２に沿って使用位置Ｑ、あるいはその間の任意位置まで移動させる。それから、固定用ブロック５２が回転しないように、例えば手で押さえて保持しつつ手摺柱本体４２を回転方向Ａに手摺柱本体４２を回転させて固定し、手摺柱本体４２の設置作業が終了する。手摺柱４０の収容方法は、上記設置方法と同様に、使用位置Ｑあるいは上記任意位置で固定されている手摺柱４０の固定を解除して収容室５８へ移動させて再度固定すればよい。
【００２６】
本発明に係るエレベータの手摺柱装置３０によれば、乗りかご１２の天井１２ｂに延設されたガイド部３２に手摺柱本体４２を吊り下げて乗りかご１２の奥の方に設けられた収容位置Ｐと、乗りかご１２の中央部の使用位置Ｑあるいはその間の任意位置との間を移動させるとともに、乗りかご１２の天井１２ｂと床面１２ｃとの間で突っ張るように手摺柱本体４２を伸ばして固定することができる。このため、使用するときにだけ乗りかご１２の中央部における使用位置Ｑあるいは上記任意位置に手摺柱本体４２を設置して利便性を向上させつつ、不使用時には乗りかご１２の奥の収容位置Ｐへ手摺柱本体４２を移動させることができるため、例えば、ベッド等の大きな設備を乗りかご１２に積み込むこともできる。
【００２７】
上記実施形態では、上側スライドシュー４４が手摺柱本体４２に軸支された支持軸４６を介して接続される例を挙げているが、例えば、上側スライドシュー４４に固定用ブロック５２のネジ軸５２ａに対して逆ネジとなるネジ軸を設け、このネジ軸が手摺柱本体４２の上端部に螺合するようにしてもよい。これにより、手摺柱本体４２を回転方向Ａまたは回転方向Ｂに回したときに下側スライドシュー５４だけでなく、上側スライドシュー４４も伸縮するため、手摺柱本体４２の固定または解除を素早く行うことができる。
【００２８】
続いて、図４〜図７を用いて、上記実施形態の第１変形例および第２変形例について説明する。以下の説明において、上記実施形態と同一の構成については同一符号を付して適宜説明を省略し、構成の異なる部分についてのみ説明を行うものとする。
【００２９】
図４は、第１変形例の手摺柱装置６０の構成を示す乗りかご１２の斜視図である。図４に示すように、手摺柱装置６０は、３つの手摺柱６２，６４，６６を備えている。各手摺柱６２，６４，６６は、上記実施形態における手摺柱４０と同一の構成を備えている。このように、複数の手摺柱６２，６４，６６を設置することにより利用者がより掴まり易くしてもよい。また、乗りかご１２の中央部に３つの手摺柱６２，６４，６６を設置することによって、混雑時等に利用者同士の身体がぶつかったり、触れてしまい難くできる。このため、例えば、女性の方などが他の利用者に不意に接触してファンデーションや口紅等を他の利用者の着衣に付着させてしまうというようなトラブルを防止する上でも有効である。なお、手摺柱装置６０において、手摺柱の本数は３本に限らず、２本でも、３本以上であってもよい。
【００３０】
図５は、第２変形例の手摺柱装置７０を示す乗りかご１２の斜視図である。図５に示すように、手摺柱装置７０は、３つの手摺柱７２，７４，７６を備えている。ここで、各手摺柱７２，７４，７６の構成は同一であるため、以下の説明では手摺柱７２についてのみ説明し、手摺柱７４，７６については適宜説明を省略する。手摺柱７２は、上記実施形態における上側スライドシュー４４の代わりに略円柱状の上側スライドシュー７２ａを備える点を除いて手摺柱４０と同一の構成を備えている。
【００３１】
図６は、図５に示すＣ方向から見たガイド部８０の構成を示す図である。図７は、図６に示すＥ-Ｅ断面図である。図６および図７に示すように、手摺柱装置７０は、上記実施形態のガイド部３２の代わりガイド部８０を備えている。ガイド部８０は、収容位置Ｐから使用位置Ｑへ各手摺柱７２，７４，７６を移動させるガイドレール８２と、使用位置Ｑにおいて各手摺柱７２，７４，７６を回転移動させる回転機構８４とを備えている。
【００３２】
ガイドレール８２は、収容位置Ｐから乗りかご１２の出入口１２ａの方へ直線状に延びて使用位置Ｑに接続するように乗りかご１２の天井１２ｂに延設されている。回転機構８４は、手摺柱７２を吊り下げ状態で支持する略円盤状の回転体８６と、回転体８６の周囲を取り囲むよう円形に配置されたガイド板８８とを備えている。回転体８６は、乗りかご１２の天井１２ｂに支持軸８６ｇを介して中心部を回転支持されており、その外周部には手摺柱７２の支持軸７２ｂが嵌合されるスリット状の切り欠き部８６ａ，８６ｂ，８６ｃが等間隔に３つ設けられている。また、同様にして、手摺柱７４，７６も切り欠き部８６ａ，８６ｂ，８６ｃのいずれかに嵌合される。これにより、手摺柱７２，７４，７６を回転体８６に吊り下げて等間隔に配置することができる。回転体８６の各切り欠き部８６ａ〜８６ｃの径方向内側には、後述するストッパー９０に係合する固定用の窪み８６ｄ，８６ｅ，８６ｆが同一円周上に設けられている。ガイド板８８は、回転体８６の切り欠き部８６ａ，８６ｂ，８６ｃに吊り下げられた各手摺柱７２，７４，７６の脱落を防止する役割を有している。
【００３３】
図７に示すように、手摺柱装置７０は、回転体８６の上面に形成された窪み８６ｄ〜８６ｆと対向するように乗りかご１２の天井１２ｂに設置されたストッパー９０を備えている。ストッパー９０は、内蔵するスプリング９２の付勢力によって下向きに付勢された突出体９４を有し、突出体９４が回転体８６の窪み８６ｄ〜８６ｆのいずれかに係合することにより、各切り欠き部８６ａ〜８６ｃのいずれかがガイドレール８２と対向する位置で回転体８６を固定する役割を有している。また、スプリング９２の付勢力は、各手摺柱７２，７４，７６のうちいずれかを回転体８６に嵌合させた状態で図６に示す回転方向Ｄに付勢することにより回転体８６の窪み８６ｄ〜８６ｆのいずれかと突出体９４との係合が解除される大きさに設定されている。これにより、各手摺柱７２，７４，７６を回転体８６に吊り下げていない状態では、図７に示すように、各切り欠き部８６ａ〜８６ｃのいずれか１つが必ずガイドレール８２と対向する位置で回転体８６を固定できるようにしている。
【００３４】
上記構成により、手摺柱装置７０によれば収容位置Ｐから取り出した各手摺柱７２，７４，７６を使用位置Ｑで回転体８６によって等間隔に配置して固定することができる。
【００３５】
なお、本発明に係るエレベータの手摺柱装置によれば、上述した実施形態およびその変形例の構成に限定されるものではなく、本願の特許請求の範囲に記載された事項およびその均等の範囲内で種々の改良や変更が可能であることはいうまでもない。
【符号の説明】
【００３６】
１０  エレベータ、１２ａ  出入口、１２ｂ  天井、１２ｃ  床面、３０，６０，７０  手摺柱装置、３２，８０  ガイド部、３２ａ  直線レール、３２ｂ  環状レール、３４  床マット、３６  ガイド溝、３６ａ  長溝、３６ｂ  環状溝、４０，６２，６４，６６，７２，７４，７６  手摺柱、４２  手摺柱本体、Ａ，Ｂ，Ｄ  回転方向、Ｍ  機械室、Ｐ  収容位置、Ｑ  使用位置、Ｓ  昇降路。
【図１】
0006755681.tif 000002
【図２】
0006755681.tif 000003
【図３】
0006755681.tif 000004
【図４】
0006755681.tif 000005
【図５】
0006755681.tif 000006
【図６】
0006755681.tif 000007
【図７】
0006755681.tif 000008